(57)【特許請求の範囲】
【請求項１】
通信アダプタと端末装置の着脱機構であって、
前記通信アダプタは、壁掛け式であり下部にガイド部が形成され、上部には端末装置を着脱可能に保持するローラが設けられ、該ローラはＬ字形に折曲形成されたばね板の一方の端部に支持され、該ばね板の他方の端部には前記ローラを端末装置から退避させる方向に押圧可能なローラ退避用の押圧部が形成されてなり、且つ、該ばね板には孔が穿設され、通信アダプタには前記孔に嵌合する部材が設けられてなり、前記押圧部を押圧すると、前記ばね板に穿設された孔に前記部材が嵌合されることにより、前記ばね板のローラが端末装置から退避した状態が保持されることを特徴とする通信アダプタと端末装置の着脱機構。
【発明の詳細な説明】
【０００１】
【発明の属する技術分野】
本発明は通信アダプタと端末装置の着脱機構に関する。詳しくは、端末装置と、該端末装置を保持し、光のインターフェースを用いて端末装置に蓄えられたデータをホストコンピュータに転送し且つ充電もできる通信アダプタとを接続するための通信アダプタと端末装置の着脱機構に関する。
【０００２】
【従来の技術】
近年、商店における商品の入出庫の記録や、各需要家のガス、電気などの使用量を記録し、その情報をホストコンピュータに転送するため、図９（ａ）に示すような携帯可能な端末装置１と、該端末装置１を装着し、光のインターフェースを用いて端末装置に蓄えられた情報を受取り、その情報をホストコンピュータに転送するための図９（ｂ）に示すような通信アダプタ５が用いられている。なお、同図（ａ）は端末装置示す斜視図、（ｂ）は通信アダプタをの斜視図、（ｃ）は端末装置を装着した通信アダプタを示す平面図、（ｄ）は（ｃ）図のｄ−ｄ線における断面図である。
【０００３】
図９（ａ）に示す端末装置１は表面に情報入力用のキー２と液晶表示装置３が、後部又は裏面に充電端子４が設けられ、裏面には図示なき光インターフェースが設けられている。また図９（ｂ）〜（ｄ）に示す通信アダプタ５は筐体６に前記端末装置１を位置決めして装着できる凹部７を有し、該凹部に端末装置１と情報交換する光インターフェース８と、充電用端子が設けられている。また筐体６は端末装置１を装着し易いように脚９により傾斜されている。
【０００４】
【発明が解決しようとする課題】
上記従来の通信アダプタと端末装置の着脱機構では、図１０（ａ）に示すように端末装置１を傾斜している通信アダプタ５の上をＹ方向にすべらせて装着するのであるが、耐衝撃性、耐水性を向上するため外周をゴム質の材料で被覆した端末装置では通信アダプタ１にスムースにセットすることが困難であった。即ち、端末装置の外周がゴム質であると通信アダプタに辷らせてセットするとき摩擦が大きいためセット性が悪く、また図９（ｂ）〜（ｄ）に示すように端末装置１のＸ方向へのセットは側面をガイド１０により、Ｙ方向へのセットは傾斜と手前の突き当て１１によっておこなっていたため、セット感がなかった。このため完全にセットされたか否かが不明瞭であった。
【０００５】
また、図１０（ｂ）のように乱暴に端末装置を通信アダプタへセットする場合や、図１０（ｃ）のように通信アダプタにセットされた端末装置１の先端（通信アダプタの先端からはみ出している）に力１２を加えた時や、端末装置の先端にプリンタ等のオプションを付加された状態で通信アダプタ５に端末装置をセットした場合などの際、端末装置が通信アダプタから破線で示すように脱落することもあった。また、端末装置の脱落防止のために、図１１（ａ）の如くＺ方向にガイド１３を設け、端末装置の底面周囲を覆うようにした場合には図１１（ｂ）の拡大断面図に示すように通信アダプタの筐体６の底部に露出している充電端子１４を端末装置を辷らせて装着するとき端末装置に充電端子が引っかかって、充電端子が図示矢印方向に押し上げられることによって、充電端子が折れ曲がり破損することがあった。又図１１（ｃ）のようにＺ方向のガイドを設けない場合でも、図１１（ｄ）のように突き当て面に充電端子１４が設けられている場合には、端末装置１を上方から摺動させた場合に、端子が端末装置の底面によって図示矢印方向に押し下げられてしまい、端子が折れ曲がるなど破損するという問題があった。
【０００６】
本発明は上記従来の問題点に鑑み、外周がゴム質の材料で被覆された端末装置の位置決めと、そのセットがスムースで、セット感があり、さらに充電端子の破損を防止可能とした通信アダプタと端末装置の着脱機構を実現することを目的とする。
【０００７】
【課題を解決するための手段】
本発明は、通信アダプタと端末装置の着脱機構であって、前記通信アダプタは、壁掛け式であり下部にガイド部が形成され、上部には端末装置を着脱可能に保持するローラが設けられ、該ローラはＬ字形に折曲形成されたばね板の一方の端部に支持され、該ばね板の他方の端部には前記ローラを端末装置から退避させる方向に押圧可能なローラ退避用の押圧部が形成されてなり、且つ、該ばね板には孔が穿設され、通信アダプタには前記孔に嵌合する部材が設けられてなり、前記押圧部を押圧すると、前記ばね板に穿設された孔に前記部材が嵌合されることにより、前記ばね板のローラが端末装置から退避した状態が保持されることを特徴とする。
【００１３】
また、請求項２の発明は、前記ローラは、ばね板を手動により、又はばね板自身の撓みにより進退可能であることを特徴とする。
【００１４】
この構成を採ることにより、ばねにより支持されかたローラにより端末装置を着脱でき、且つばね板自身が撓むことにより無理な操作に耐えることができる。
【００１５】
また、請求項１１の発明は、図７に示すように、前記通信アダプタの端末装置を保持する部分には衝撃吸収材が貼設されてなることを特徴とする。この構成を採ることにより、車載用として耐衝撃性が向上する。
【００１６】
【発明の実施の形態】
図１は本発明の第１の実施の形態を示す図で、（ａ）は斜視図、（ｂ）は平面図、（ｃ）は（ａ）図のｃ−ｃ線における断面図である。本実施の形態は、（ｂ）及び（ｃ）図に示すように、端末装置２０は、その後部近傍の裏面にガイド用の２つの突起２１，２１′が設けられている。また、通信アダプタ２２には、端末装置２０の裏面に設けられた２つの突起２１，２１′に係合して該端末装置２０を装着方向に案内する２本のガイドレール２３，２３′が設けられ、該ガイドレール２３，２３′の端部には、三角形状の突起２４がそれぞれ形成されている。また、該ガイドレール２３，２３′の途中には、充電端子用のレバーに設けられた突起２５が突出する孔が設けられている。
【００１７】
さらに、通信アダプタ２２には、端末装置２０の左右側面及び上面を案内する案内部材２６，２６′と、突き当て部２７とが設けられている。但し端末装置２０と側壁との間に隙間が設けられている。その他通信アダプタ２２には、脚２８、光インターフ−イス、充電端子等が設けられていることは図８で説明した従来例と同様である。なお、端末装置２０の裏面には、該端末装置２０を通信アダプタ２２に装着したときに、前記ガイドレール２３，２３′の三角形状の突起２４に係合する図示なき凹部が形成されている。
【００１８】
このように構成された本実施の形態は、図２（ａ）に示すように、通信アダプタ２２に端末装置２０がセットされるが、端末装置２０はそのＹ方向を２つの突起２１，２１′がガイドレール２３，２３′に案内され突き当て部２７に突き当てられるため確実にセットされる。このとき端末装置がゴム質で覆われているものであっても、案内部材２６、２６′との間に隙間があり、且つ案内部材２６、２６′の先端がゴム質のない部分に接触しているため支障なくセットできる。また図２（ｂ）に示すように、通信アダプタ２２が水平に置かれていても確実にセットすることができる。この際、図２（ｃ）に示すように、通信アダプタ２２のガイドレール２３，２３′に形成された突起２４に端末装置２０に形成された凹部２９が嵌合するとき、嵌合音を発するため確実にセットされたというセット感が得られる。
【００１９】
図３は本発明の実施の形態における充電端子部を説明するための示す図であり、（ａ）は通信アダプタ２２に端末装置２０をセットした状態、（ｂ）は（ａ）図のＢ部拡大断面図である。本実施の形態の充電端子３０はＬ字形のレバー３１の一方の端部に設けられ、Ｌ字形レバー３１の他方の端部には三角形状の突起２５が設けられている。そして、該Ｌ字形レバー３１は中央部を支点としてピン３２により支持され、充電端子３０は常時は図示なきばねにより突き当て部２７の突き当て面より内側に位置して保護されており、突起２５はガイドレール２３に設けられた孔から突出している。
【００２０】
このように構成された充電端子部は、（ｂ）図の如く、通信アダプタ２２に端末装置２０が白抜き矢印方向からセットされると、Ｌ字形レバー３１の突起２５が押し下げられて時計方向に回動され、充電端子３０は突出して端末装置２０の充電端子３３に接触し充電可能となる。このように本発明の実施の形態における充電端子部は通信アダプタ２０のセットと同時に突き当て面より突出する構造であるため、従来のように端末装置２０の装着時に破損させられるようなことはない。
【００２１】
また、図３において、３４はＬ字形レバー３１が押下された時に作動するスイッチであり、端末装置２０が確実にセットされたことを検知し、装置を起動するために用いられる。
【００２２】
図４は本実施の形態における端末装置２０を示す図で、（ａ）は上面より見た斜視図、（ｂ）は裏面より見た斜視図である。本実施の形態は、端末装置２０の耐衝撃性の向上及び感触性の向上のため、外周部をゴム質材料で覆ったものである。なお、本実施の形態は上部の幅が広く下部が狭くなっているが、これはデータ入力時及び通信アダプタへのセット時のハンドリングを良好にするためである。このように構成された端末装置２０は被覆部３５以外に設けられた突起２１，２１′と通信アダプタ２２に設けられたガイドレールにより案内されてセットされるため、ゴム質材料被覆の影響はなく、図２で説明したと同様に通信アダプタ２２に容易に且つ確実にセットすることができる。
【００２３】
図５及び図６は本発明の第２の実施の形態を示す図で、図５は概略断面図、図６は斜視図である。本実施の形態はほぼ第１の実施の形態と同様であり、異なるところは、通信アダプタ２２の裏面上部に上部取付け部材３６を、下部に下部取付け部材３７を設けて壁掛け式としたことである。なお下部取付け部材３７の高さを上部取付け部材３６の高さより高くして通信アダプタ２２を多少傾斜するように設置することが好ましい。
【００２４】
このように構成された本実施の形態は、通信アダプタ２２を壁３８に取り付けて用いられるが、左右の案内部材２６，２６′及び下部の突き当て部２７により端末装置２０を確実にセットし保持することができる。
【００２５】
図７及び図８は本発明の第３の実施の形態を示す図で、図７は斜視図、図８は断面図である。本実施の形態は第１、第２の実施の形態がテーブル載置型であったのに対し車載用としたことである。本実施の形態における端末装置２０は、光インターフェイス、充電端子を有することは第１、第２の実施の形態と同様であるが、ガイド用の２つの突起は有していない。
【００２６】
また通信アダプタ２２は上下に取り付け部材３６，３７を有する壁掛け式であり、その下部にはガイド部３９が形成され、上部には端末装置２０をローラ４０により着脱自在に保持する着脱機構４１が設けられている。また端末装置を装着したとき、その上下部が当接する部分には衝撃吸収材４２が貼設されている。前記着脱機構４１はＬ字型に折曲形成されたばね板４３の一方の先端にローラ４０が設けられ、他方の先端にはローラ退避用の押圧部４４が形成されている。
【００２７】
また図８に示すように該ばね板４３は図示なきばねにより黒矢印Ａで示す方向に付勢されている。さらに該ばね板４３の近傍に円板４５が軸４５ａにより摺動可能に設けられ、ばね４６により矢印Ｃ方向（ばね板の方向）へ付勢されている。またばね板４３にはローラ４０が退避した状態の時に前記円板４５が挿入されローラ４０を退避した状態を保持する図示なき孔が穿設されている。
【００２８】
このように構成された本実施の形態の作用を次に説明する。先ず、押圧部４４を押圧してばね板４３を破線で示すように上方（矢印Ｂ方向）に押し上げ、該ばね板に設けられた孔に円板４５を嵌合させ待機状態とする。このとき円板４５を支持する軸４５ａは前記したように通信アダプタの端末装置を装着する面より突出する。この状態にある通信アダプタ２２に端末装置２０をセットすると、該端末装置２０は円板４５の軸４５ａを黒矢印Ｄ方向に押圧し円板４５をばね板４３の孔から離脱させる。これによりばね板４３は図示なきばねにより下方（黒矢印Ａ方向）に下がり、その先端のローラ４０で端末装置２０を保持する。
【００２９】
通信アダプタ２２より端末装置２０を取り外すにはばね板４３の押圧部４４を矢印Ｅ方向に押し上げれば初期の状態に戻り、端末装置２０を取り外すことができる。また、ばね板４３が下がった状態（図の状態）でも、端末装置２０を無理に押し込めばばね板４３が２点鎖線で示すように撓みローラ４０が退避して端末装置２０をセットすることができる。また、この状態から端末装置２０を無理に引き出せば、ばね板４３を撓ませ、同時にローラ４０を退避させて端末装置２０を取り出すことができる。このように本実施の形態は無理な操作にも耐えることができ、また、衝撃吸収材により耐衝撃性も向上する。
【００３０】
【発明の効果】
本発明の通信アダプタと端末装置の着脱機構に依れば、外周がゴム質で覆われた端末装置であっても、通信アダプタに接続するときには確実に位置決めして確実にセットすることができ、且つセット感が得られ、また乱暴なセットでも脱落することも無くなり、更に、充電端子を可動式にしたことにより端末装置着脱時の破損を防止することが可能となる。また車載式にした場合も耐衝撃性を有し、かつ無理な操作にも耐える通信アダプタと端末装置の着脱機構が得られる。なお本発明は通信アダプタと端末装置の着脱機構としたが、通信用に限らず電池の充電用にも利用することができる。
【図面の簡単な説明】
【図１】本発明の第１の実施の形態を示す図で、（ａ）は斜視図、（ｂ）は平面図、（ｃ）は（ｂ）図のｃ−ｃ線における断面図である。
【図２】本発明の第１の実施の形態の作用を説明するための図である。
【図３】本発明の第１の実施の形態を作用を説明するための図である。
【図４】本発明の第１の実施の形態における端末装置を示す図で、（ａ）は上面より見た斜視図、（ｂ）は裏面より見た斜視図である。
【図５】本発明の第２の実施の形態を示す概略側面図である。
【図６】本発明の第２の実施の形態を示す斜視図である。
【図７】本発明の第３の実施の形態を示す斜視図である。
【図８】本発明の第３の実施の形態の一部を開切して示した側面図である。
【図９】従来の通信アダプタと端末装置を示す図で、（ａ）は端末装置の斜視図、（ｂ）は通信アダプタの斜視図、（ｃ）は端末装置を装着した通信アダプタを示す平面図、（ｄ）は（ｃ）図のｄ−ｄ線における断面図である。
【図１０】発明が解決しようとする課題を説明するための図である。
【図１１】発明が解決しようとする課題を説明するための図である。
【符号の説明】
２０…端末装置
２１，２１′，２４，２５…突起
２２…通信アダプタ
２３，２３′…ガイドレール
２６，２６′…案内部材
２７…突き当て部
３１…Ｌ字形レバー
３４…スイッチ
３５…被覆部
３６…上部取付け部材
３７…下部取付け部材
３９…ガイド部
４０…ローラ
４１…着脱機構
４２…衝撃吸収材
４３…ばね板
【図１】
0003753515.tif 000002
【図２】
0003753515.tif 000003
【図３】
0003753515.tif 000004
【図４】
0003753515.tif 000005
【図５】
0003753515.tif 000006
【図６】
0003753515.tif 000007
【図７】
0003753515.tif 000008
【図８】
0003753515.tif 000009
【図９】
0003753515.tif 000010
【図１０】
0003753515.tif 000011
【図１１】
0003753515.tif 000012